(57)【特許請求の範囲】
【請求項１】
床の所定位置に設置したベース部材と、前記ベース部材から上方に延びるポールと、少なくとも３つ以上の前記ポールの上端にそれぞれ係合することでほぼ水平状態に支持されるフレーム部材との組み合わせから成る共有空間構造体であって、前記ポールに形成された上端側から基端側に亘って延びる上下方向の溝部に摺動嵌合する受け部材を設けるとともに、前記溝部の外方に什器を支持する什器用止着部材を前記受け部材と螺合状態に設け、前記受け部材と前記什器用止着部材は、前記溝部の外方を向く開口の左右両側に遊端が互いに向き合って離間する左右の係止片を挟持することで什器を前記ポールに固定し、前記フレーム部材の両端には、前記溝部にポール上端から嵌入可能なフレーム用受け部材が形成され、什器のための前記受け部材用の溝部と共用できるようにすることを特徴とするポールと什器との連結構造。
【請求項２】
前記ポールを円柱状とし、前記溝部はポールの外円周上に多数形成されている請求項１に記載のポールと什器との連結構造。
【請求項３】
前記ベース部材を通りポール基端側から前記溝部内に沿って電力供給線を前記什器まで配線して電力を供給する請求項１または２に記載のポールと什器との連結構造。
【請求項４】
前記ベース部材を通りポール基端側から前記溝部内に沿って電力供給線をポール先端部或いは前記フレーム部材に取り付けた電気機器まで配線して電力を供給する請求項１ないし３のいずれかに記載のポールと什器との連結構造。
【発明の詳細な説明】
【０００１】
【発明の属する技術分野】
本発明は、オフィスルームやパビリオン等の比較的広い空間体において、人と人とが自由にふれ合うことのできるオープンな空間構造体におけるポールと小テーブルとの連結構造に関する。
【０００２】
【従来の技術】
近年、オフィス等のオープン化を図り、コミュニケーションを活発化させるということが唱えられ初められているが、オフィスルームやパビリオン等の比較的広い空間体を仕切って多目的のスペース、即ち来客とビジネストークするレセプションスペース、意見等を出し合うコラボレーションスペース、簡単な会合をするミーティングスペース、気分転換のためのリラックススペース或いは本や雑誌等が閲覧できるライブラリースペース等を構築する場合は、一般に、天井から床まで柱を立てて、柱の間を壁で覆うようにして部屋を造るようにしたもの、或いはパーティションにより空間を間仕切り所要のスペースを得るようにしたもの等が従来知られている。
【０００３】
【発明が解決しようとする課題】
しかしながら、上記したいずれのものも、壁やパーティションにより所要空間を画定するようになっているために、所要目的のために構築した空間構造体がそれ以外の外部空間と部分的にしか開放されていないような関係で連接するものであるから、オフィス等のオープン化によるコミュニケーションの活発化という目的を達成するための完全に解放された空間構造体とはなっていなかった。その上、柱や壁或いはパーティションにワークに必要な、例えば小物を載せるテーブルとが電気機器等の什器を取り付けようとすれば、仕切られた空間内で取り付けるために、取付け場所に制約があり、取付け高さや向きの自由度もなかった。
【０００４】
本発明は、このような状況に鑑みてなされたもので、オフィス等のオープン化を図るために、所要目的のために構築した空間構造体が、それ以外の外部空間と充分開放された関係で連接している構造体（以下このような空間構造体を「共有空間構造体」と定義する。）になっており、この共有空間構造体のポールと什器との連結構造において、その連結、分解の作業を素早く行うことができ、かつ連結時には両者が確実に固着され、什器の取付け高さや向きにも自由度があるようにすることを目的とするものである。
【０００５】
【課題を解決するための手段】
上記課題を解決するために、本発明のポールと什器との連結構造は、床の所定位置に設置したベース部材と、前記ベース部材から上方に延びるポールと、少なくとも３つ以上の前記ポールの上端にそれぞれ係合することでほぼ水平状態に支持されるフレーム部材との組み合わせから成る共有空間構造体であって、前記ポールに形成された上端側から基端側に亘って延びる上下方向の溝部に摺動嵌合する受け部材を設けるとともに、前記溝部の外方に什器を支持する什器用止着部材を前記受け部材と螺合状態に設け、前記受け部材と前記什器用止着部材は、前記溝部の外方を向く開口の左右両側に遊端が互いに向き合って離間する左右の係止片を挟持することで什器を前記ポールに固定し、前記フレーム部材の両端には、前記溝部にポール上端から嵌入可能なフレーム用受け部材が形成され、什器のための前記受け部材用の溝部と共用できるようにすることを特徴としている。
この特徴によれば、ポールに形成した溝部は上端側から基端側に亘って延びているから、ポールと什器との連結、分解は、溝部に沿って行えばよく、作業を素早く行うことができ、什器の取付け高さは自由に選択でき、かつ、溝部の形成位置に応じて什器の取付け方向が決まるので、ポールを立てるときに溝部の向きを考慮しておけば、什器を好きな方向に向けることができる。また、ポールと什器は係止片を介して確実に結合することができる。そしてポールに形成した上端側から基端側に亘って延びている溝部は、フレーム部材結合用と、什器結合用とに併用できる。
【０００７】
本発明のポールと什器との連結構造は、前記ポールを円柱状とし、前記溝部はポールの外円周上に多数形成されていることが好ましい。
このようにすれば、溝部を多数形成でき、その数だけ什器の取付け向きの自由度が増える。
【０００８】
本発明のポールと什器との連結構造は、前記ベース部材を通りポール基端側から前記溝部内に沿って電力供給線を前記什器まで配線して電力を供給することが好ましい。
このようにすれば、溝部を利用して電力供給線を配線でき、例えば什器用止着部材に小テーブルを取り付けてその上にパソコン等を置いてオフィスワークができる。
【０００９】
本発明のポールと什器との連結構造は、前記ベース部材を通りポール基端側から前記溝部内に沿って電力供給線をポール先端部或いは前記フレーム部材に取り付けた電気機器まで配線して電力を供給することが好ましい。
このようにすれば、使用していない溝部を利用して共有空間構造体の上部にある例えば照明具のような電気機器に電力供給線を配線できる。
【００１０】
【発明の実施の形態】
以下、本発明の実施例を図面に基づいて説明すると、まず図１にはワークスペースとして構築した共有空間構造体１の全体図が示されており、この共有空間構造体１は、ベース部材２と、ポール３（この実施例では４本示されており、３ａ，３ｂ、３ｃ、３ｄとする）と、フレーム部材４が組み合わされて構築されている。この共有空間構造体１とは、図１に従って説明すると、既に定義したように、４つのベース部材２と４本のポール３ａ〜３ｄと５本のフレーム部材４から成る空間構造体が、それ以外の外部空間と充分開放された関係で連接できる構造体であることをいう。即ち、本実施例ではポール３ａ，３ｂ及びフレーム部材４で囲まれた部分、ポール３ｂ、ポール３ｃ及びフレーム部材４で囲まれた部分及び上部の３つのフレーム部材４で囲まれた２箇所の部分が外部空間と開放された関係で連接されている。
【００１１】
次に、本実施例で使用されている共有空間構造体１の具体的な構造について説明すると、図２は、ベース部材２とポール３とフレーム部材４の組立分解図であり、ベース部材２は空間構造体の外郭を画定する床７の所定位置に設置され、その底部に設けられた数個のアジャスタ８の位置調整により床面が多少変形或いは傾斜していてもベース部材２が常に水平状態を維持できるように構成されている。ポール３の基端は、ベース部材２の床７側からポール３側に差し込んだねじ部材２ａによりポール３と着脱自在に固定されるようになっている。ポール３とベース部材２との結合方法は、これに限定されるものでなく、一般的な、棒材とそれを支える基台との従来公知の結合手段を採用すればよい。ポール３の上端は、フレーム部材４と着脱自在に固定されている。トップキャップ１５はその底部中央に螺合雄ねじ１５Ｘを有し、ポール３の上部中央に形成されている雌ねじ部３Ｘとネジ結合することにより、ポール３に形成されている溝部９を覆うようにしてポール３に固定される。
【００１２】
図３はポール３の上面図であって、本実施例では円周に外側部が若干拡がった略Ｕ字状の８つの溝部９が上下方向に延びており、各溝部９の外方を向く開口９ａの左右両側に、遊端が互いに向き合って離間する左右の係止片１０により溝部９の一部が覆われている。本実施例において溝部９は円柱状のポールに形成しているため、比較的多くの溝部９を形成でき、そのためにフレーム部材４の取付け方向が選択できる。また、ポール形状は円柱状と限らず、例えば四角柱状のもので４つの溝部を形成するようにしたものであってもよい。
【００１３】
図４は前記溝部９の一つと上方から下方に向けて摺動係合できるフレーム用受け部材１１を示したものであって、図４（ａ）はその側面図であり、図４（ｂ）はこの受け部材１１の上面図であって頭部１１ａの形状が示されており、図４（ｃ）は図４（ａ）のＡ−Ａ’断面図である。フレーム部材用受け部材１１をポール３に形成した溝部９の上方より挿入すると、図４（ｃ）で示したフレーム部材用受け部材１１の断面略台形状の凸部１１ｂがポール３に形成した略Ｕ字状の溝部９と摺動係合し、図３の仮想線で示したように、溝部９よりも大きい係止頭部１１ａがポール３の上端部と係合した時点でフレーム用受け部材１１の下方向への移動が停止する。また、図４（ａ）に示されているように、この受け部材１１には雌ねじ部１１ｃと嵌合穴１１ｄがいずれも２箇所づつ形成されていて、雌ねじ部１１ｃに螺合するボルト１３（図５参照）によってフレーム用受け部材１１が係止片１０と係合できるようにフレーム部材４の両端に取り付けたフレーム用止着部材１２に向かって移動する。
【００１４】
図５はフレーム用止着部材１２の側面図であり、この止着部材１２の一側面側には図４のフレーム用受け部材１１の嵌合穴１１ｄと嵌合する嵌合突起１２ｄが２箇所に設けられていると共に、フレーム用受け部材１１の雌ねじ部１１ｃと螺合できるボルト１３を受け入れる貫通孔１２ｃとボルト１３の頭部１３ａの座部１２ｃ’が形成されている。一方、フレーム用止着部材１２の嵌合突起１２ｄが形成された側と対向する反対面側にはフレーム部材４と嵌合する柱状突起１２ａが上下２箇所に設けられ、図２に示したフレーム部材４を構成するアッパービーム４ａとローワビーム４ａ’の中空部に差し込んで嵌合係止させ、この嵌合結合を更に確実なものとするために、ボルト１４により止着部材１２に設けた貫通孔１２ｂを介して両ビーム４ａ，４ａ’の中実部に螺合させている。また、両ビーム４ａと４ａ’は補強のため図２に示す中間材４ｂで溶接されている。
【００１５】
図６はポール３にフレーム部材４が連結固定された図で、図６（ａ）が側面図、図６（ｂ）は図６（ａ）のＡ−Ａ’断面図である。連結固定方法は、先ず、フレーム用止着部材１２を両ビーム４ａ，４ａ’の両端にボルト１４により取り付け、フレーム用受け部材１１の嵌合穴１１ｄをフレーム用止着部材１２の嵌合突起１２ｄにはめ込んで一体化し、位置設定されている２つのポール３の上方からフレーム部材４の端部に取り付けられているフレーム用受け部材１１を溝部９に沿って下方に移動し、この受け部材１１の係止頭部１１ａがポール３の上端部に係合するまで挿入する。この状態では、作業員はフレーム部材４から手を離しても、フレーム部材４の下方への落下は係止頭部１１ａにより、また、フレーム部材４の水平方向の離動は２つのポール３，３によって阻止されているから、次の作業に移行するのが楽である。次に、ボルト１３を止着部材１２の貫通孔１２ｃに挿入し、ボルト１３の先端部をフレーム用受け部材１１の雌ねじ部１１ｃに螺合させ、その状態からボルト１３をねじ込んでいけば、フレーム用受け部材１１は溝部９内でその回動が阻止されているから、ネジ作用によりフレーム用受け部材１１は図６（ｂ）において図中向かって右方向に、止着部材１２は左方向に移動し、最終的にはポール３の溝部９に形成した係止片１０をフレーム用受け部材１１とフレーム部材４の端部に形成されているフレーム用止着部材１２とで挟持することで、ポール３にフレーム部材４が確実に連結固定されることになる。
【００１６】
また、図７は小テーブル２２（図１参照）や電気機器等の什器を支持する什器用止着部材１６の全体を示す斜視図であり、什器をビス止めするための２つの受け台１６ａ，１６ａと、ボルト１８（図８参照）により什器用止着部材１６をポール３に固定するためのボルト孔１６ｂが形成されている。
【００１７】
図８は小テーブル用止着部材１６のポール３への結合状態を示した部分拡大図であり、凸状の受け部材１７を溝部９に摺動嵌合させ、希望する高さのところで、この受け部材１７と什器用止着部材１６とをボルト１８により、溝部９に形成した係合片１０に挟持してポール３に固定する。このような結合手段は、既に述べたフレーム用受け部材１１とフレーム用止着部１２をポール３に結合固定する方法と殆ど同じであるが、組立時において大切なのは、フレーム部材４を組み付ける前に受け部材１７を溝部９に予め上方より摺動嵌合（ベース部材２がポール３に取付けられる前ならば下方からでも摺動嵌合できる）させておく必要がある。
【００１８】
図１に示す本発明の共有空間構造体１の構築のための施工方法について説明すると、先ず最初に、共有空間構造体１の外郭を画定する床７の所定位置に４個のベース部材２を、床が多少変形或いは傾斜していても水平度が保てるように図２に示すアジャスタ８を調節しながら設置する。次に、４本のポール３ａ〜３ｄの基端を、ベース部材２の床７側からポール３側に差し込んだねじ部材２ａによりベース部材２に固定して、４本のポール３を垂直状態に自立させる。なお、ベース部材２とポール３が予め一体化したものを使用することも可能である。ポール３ｂのベース２は他のベース部材２より大きいが、これはテーブル２０を支持するために大型となっているだけで、構造的には他の３つのベース部材２と何等変わるのもではない。
【００１９】
４本のポール３が垂直に自立した後は、受け部材１７をポール３の上端より溝部９に摺動係合させて希望高さ位置まで下降させ、什器用止着部材１６をボルト１８により上述の方法でポール３に取り付け固定する。この場合、予め受け部材１７と什器用止着部材１６とをボルト１８により仮止めしておいてから、その後、受け部材１７をポール３の上端より溝部９に嵌入させるようにするとよい。什器は什器用止着部材１６の受け台１６ａ，１６ａに載せてビス止めされる。なお、什器用止着部材１６の取付けは、後述するフレーム部材４の取付け後にしてもよいことは言うまでもない。ただし、どの溝部９と摺動係合させるかにより、什器の向きが決定されるので、注意を払う必要がある。フレーム部材４のポール上端への取付けは、フレーム部材４の両端に取り付けたフレーム用受け部材１１をポール３に形成した溝部９の上方より、溝部９よりも大きい形状の係止頭部１１ａがポール３の上端部と係合するまで挿入し、フレーム用止着部材１２とフレーム用受け部材１１とを２本のボルト１３でネジ止めして係止片１０を挟持することで、フレーム部材４のポール３への固定は終了する。
【００２０】
最後に、トップキャップ１５を、その底部中央に設けられている螺合雄ねじ１５Ｘを、ポール３の上部中央に形成されている雌ねじ部３Ｘとネジ結合させて、ポール３の頂部に固定する。このトップキャップ１５は溝部９を上から覆うようになっているから、ポール３とフレーム部材４との連結がゆるんできても、受け部材１１の係止頭部１１ａがトップキャップ１５によりおさえられ、フレーム部材４の上方への抜け出しが阻止できる。
【００２１】
受け部材１７も、フレーム用受け部材１１も、上述の実施例では、ポール３に形成した溝部９に摺動係合できるように凸状となっているが、ポール側に、溝部に代えて凸部を形成し、受け部材及びフレーム用受け部材側に、そのポールに形成した凸部に摺動係合できる係合凹部を形成するようにしてもよい。また、本実施例では４本のポールを用いた共有空間構造体について説明したが、４本に限定されることなく共有空間構造体の広さに応じて３本以上複数本用いられる。
【００２２】
その後は、共有空間構造体の使用目的に応じて、付属物を配設し使い勝手の良いものにしていく。図１に示された例では、小テーブル２２に観葉植物用等の鉢を置いてあるが、ＴＶやパソコン等を含む電気機器が小テーブル２２上で使えるように、ポール３に形成した使用していない溝部９を配線の通り道に利用して、電力供給線１９を小テーブル２２まで配線することも可能である。
【００２３】
更に別の変形例として、図１に示すように、ポール３ｂの最上端に照明具２１等の電気機器を設けた場合には、同様に、ポール３に形成した使用していない溝部９を配線の通り道に利用して、溝部９に沿って電力供給線１９をポール先端部に取り付けた照明具２１等の電気機器まで配線して電力を供給することも可能である。
【００２４】
【発明の効果】
本発明は以下の効果を奏する。
【００２５】
（ａ）請求項１項の発明によれば、ポールに形成した溝部は上端側から基端側に亘って延びているから、什器の取付け高さは自由に選択でき、かつ、溝部の形成位置に応じて什器の取付け方向が決まるので、ポールを立てるときに溝部の向きを考慮しておけば、什器を好きな方向に向けることができる。また、ポールと什器は係止片を介して確実に結合することができる。そしてポールに形成した上端側から基端側に亘って延びている溝部は、フレーム部材結合用と、什器結合用とに併用できる。
【００２７】
（ｂ）請求項２項の発明によれば、溝部を多数形成でき、その数だけ什器の取付け向きの自由度が増える。
【００２８】
（ｃ）請求項３項の発明によれば、溝部を利用して電力供給線を配線でき、例えば什器用止着部材に小テーブルを取り付けてその上にパソコン等を置いてオフィスワークができる。
【００２９】
（ｄ）請求項４項の発明によれば、溝部を利用して共有空間構造体の上部にある例えば照明具のような電気機器に電力供給線を配線できる。
【図面の簡単な説明】
【図１】本発明の施工方法によって構築された共有空間構造体の全体図である。
【図２】ベース部材とポールとフレーム部材の組立分解図である。
【図３】ポールの上面図である。
【図４】（ａ）はフレーム用受け部材の側面図であり、（ｂ）はフレーム用受け部材の上面図であり、（ｃ）は（ａ）のＡ−Ａ’断面図である。
【図５】フレーム用止着部材の側面図である。
【図６】ポールにフレーム部材が連結固定された図で、（ａ）が側面図、（ｂ）が（ａ）のＡ−Ａ’断面図である。
【図７】什器用止着部材の斜視図である。
【図８】什器用止着部材のポールへの結合状態を示した部分拡大図である
【符号の説明】
１                        共有空間構造体
２                        ベース部材
２ａ                      ねじ部材
３                        ポール
３ａ，３ｂ，３ｃ，３ｄ    ４本の各ポール
３Ｘ                      雌ねじ部
４                        フレーム部材
４ａ                      アッパービーム
４ａ’                    ローワビーム
４ｂ                      中間材
５                        パネル用支柱
６                        パネル
７                        床
８                        アジャスタ
９                        溝
１０                      係止片
１１                      フレーム用受け部材
１１ａ                    係止頭部
１１ｂ                    断面略台形状の凸部
１１ｃ                    雌ねじ部
１１ｄ                    嵌合穴
１２                      フレーム用止着部材
１２ａ                    柱状突起
１２ｂ                    貫通孔
１２ｃ                    貫通孔
１２ｃ’                  座部
１２ｄ                    嵌合突起
１３                      ボルト
１３ａ                    頭部
１４                      ボルト
１５                      トップキャップ
１５Ｘ                    螺合雄ねじ
１６                      什器用止着部
１６ａ                    受け台
１６ｂ                    ボルト孔
１７                      受け部材
１８                      ボルト
１９                      電力供給線
２０                      テーブル
２１                      照明具
２２                      小テーブル（什器）
【図１】
0004722281.tif 000002
【図２】
0004722281.tif 000003
【図３】
0004722281.tif 000004
【図４】
0004722281.tif 000005
【図５】
0004722281.tif 000006
【図６】
0004722281.tif 000007
【図７】
0004722281.tif 000008
【図８】
0004722281.tif 000009